(57)【要約】【課題】表示内容を無電源で保持する機能を有する情報表示パネルにおいて、画面に表示される情報のうち、所望の情報のみ容易に且つ瞬時に消去することができるとともに、消費電力が少なく携帯性に優れた情報表示パネル、情報書込み装置、情報消去装置、およびこれらを備えた情報表示システムを提供する。【解決手段】画像データに基づき画像を表示し、表示内容を無電源で保持可能な電気特性の異なる２つの表示媒体をそれぞれ備えた２つの表示領域を有する情報表示パネル。【選択図】図２
2009288411.tif 000002
【特許請求の範囲】
【請求項１】
画像データに基づき画像を表示し、表示内容を無電源で保持可能な電気特性の異なる２つの表示媒体をそれぞれ備えた２つの表示領域を有することを特徴とする情報表示パネル。
【請求項２】
前記２つの表示媒体の一方は、画像データの書込みが電圧駆動型の表示媒体であり、
他方は、電流駆動型の表示媒体であることを特徴とする請求項１に記載の情報表示パネル。
【請求項３】
請求項２に記載の情報表示パネルに画像データを出力する情報書込み装置であって、
前記電圧駆動型の表示媒体に書込む画像データを出力する電圧駆動型書込み制御回路と、
前記電流駆動型の表示媒体に書込む画像データを出力する電流駆動型書込み制御回路と、を有することを特徴とする情報書込み装置。
【請求項４】
請求項２に記載の情報表示パネルに表示される画像を消去する情報消去装置であって、
前記情報表示パネルは、絶縁皮膜で覆われ、
所定の部位に装填された前記情報表示パネルに電圧を印加することにより、前記電圧駆動型の表示媒体に表示されている画像のみを消去することを特徴とする情報消去装置。
【請求項５】
請求項２に記載の情報表示パネルと、
請求項３に記載の情報書込み装置と、
請求項４に記載の情報消去装置と、を有することを特徴とする情報表示システム。
【発明の詳細な説明】
【技術分野】
【０００１】
本発明は、情報表示パネル、情報書込み装置、情報消去装置、情報表示システムに関し、特に表示内容を無電源で保持する機能を有した情報表示パネル、情報書込み装置、情報消去装置、およびこれらを備えた情報表示システムに関する。
【背景技術】
【０００２】
近年、パーソナルコンピュータやインターネット、携帯端末などが急速に普及するに伴い、通信ネットワークを介して新聞、書籍などの電子化された情報を入手して表示する情報表示装置への要望が高まっている。電子情報は、具体的にはＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）などのディスプレイに表示され、そのため、人間と情報のインターフェイスである情報表示装置は、より高精度化、省電力化、小型化を目指して開発が進められている。
【０００３】
このような情報表示装置において、現在、紙の利点とディスプレイの利点を兼ね備え、表示内容を無電源で保持する機能（メモリ性）を有した表示媒体を用いた所謂電子ペーパーを搭載した情報表示装置が研究、開発されている。このようなメモリ性を有する表示媒体としては、室温でコレステリック液晶相を示すカイラルネマティック液晶などを用いたコレステリック液晶表示素子、ツイストボールを用いた表示素子（双極性の電子分流体）などの電圧駆動型表示媒体（例えば、特許文献１参照）や銀の析出と溶解により表示を行う表示素子などの電流駆動型表示媒体（例えば、特許文献２参照）が知られている。
【０００４】
電子ペーパーは、電気的に書換え可能であり、一度表示された情報は電力を必要とせずに保持され、目への刺激が少なく、紙のように薄膜軽量で持ち運びが自由で、フレキシブルであるなどの特徴を具備したものである。このため、電子ペーパーは、バッテリサイズが小さく、携帯性に優れた情報表示装置を実現することができる。
【０００５】
一方、電子ペーパーは、前述のように、一度表示された情報は電力を必要とせずに保持される、すなわち、情報表示装置の電源をオフした後にも表示内容が保持される。そこで、表示内容を消去する方法として、全画素に白データ、または黒データを書込み画面全体を白表示、または黒表示にリセットする白リセット、または黒リセット（以下、単にリセットと称する。）が知られている（例えば、特許文献３）。
【特許文献１】特開平９−１３８３８１号公報
【特許文献２】特開２００５−２６６６５２号公報
【特許文献３】特開２００６−１８９４６６号公報
【発明の開示】
【発明が解決しようとする課題】
【０００６】
ここで、このような電子ペーパーを用いて１つの画面に個人情報や社外秘などの秘匿性が高い情報とそうではない情報を同時に表示させ、秘匿性の高い情報は、情報の流出を防止するために、閲覧後即刻リセット動作により消去し、その他の情報は、表示を維持させておきたい場合を想定する。
【０００７】
このような場合、１つの画面において、秘匿性の高い情報が表示されている領域のみを選択し、選択した領域に白データ、または黒データを書込み表示内容を消去するといった複雑な処理を行う必要がある。また、リセット動作は、現在表示されている画像の諧調（輝度、濃度）によっては多くの電力を要するとするといった問題がある。
【０００８】
また、前述のような情報表示装置は、情報を表示する表示素子（表示媒体）を備えた表示パネルと表示素子に画像データを書込む書込み制御回路が一体化された構成である。このため、装置の小型化を阻害し、携帯性を損なうといった問題がある。
【０００９】
本発明は、上記課題を鑑みてなされたもので、表示内容を無電源で保持する機能を有する情報表示パネルにおいて、画面に表示される情報のうち、所望の情報のみ容易に且つ瞬時に消去することができるとともに、消費電力が少なく携帯性に優れた情報表示パネル、情報書込み装置、情報消去装置、およびこれらを備えた情報表示システムを提供することを目的とする。
【課題を解決するための手段】
【００１０】
上記目的は、下記の１乃至５のいずれか１項に記載の発明によって達成される。
【００１１】
１．画像データに基づき画像を表示し、表示内容を無電源で保持可能な電気特性の異なる２つの表示媒体をそれぞれ備えた２つの表示領域を有することを特徴とする情報表示パネル。
【００１２】
２．前記２つの表示媒体の一方は、画像データの書込みが電圧駆動型の表示媒体であり、
他方は、電流駆動型の表示媒体であることを特徴とする前記１に記載の情報表示パネル。
【００１３】
３．前記２に記載の情報表示パネルに画像データを出力する情報書込み装置であって、
前記電圧駆動型の表示媒体に書込む画像データを出力する電圧駆動型書込み制御回路と、
前記電流駆動型の表示媒体に書込む画像データを出力する電流駆動型書込み制御回路と、を有することを特徴とする情報書込み装置。
【００１４】
４．前記２に記載の情報表示パネルに表示される画像を消去する情報消去装置であって、
前記情報表示パネルは、絶縁皮膜で覆われ、
所定の部位に装填された前記情報表示パネルに電圧を印加することにより、前記電圧駆動型の表示媒体に表示されている画像のみを消去することを特徴とする情報消去装置。
【００１５】
５．前記２に記載の情報表示パネルと、
前記３に記載の情報書込み装置と、
前記４に記載の情報消去装置と、を有することを特徴とする情報表示システム。
【発明の効果】
【００１６】
本発明によれば、情報表示パネルにおいて、画像データに基づき画像を表示し、表示内容を無電源で保持可能な電気特性の異なる２つの表示媒体をそれぞれ備えた２つの表示領域を設ける構成とした。これにより、２つの表示媒体の電気特性の違いを利用することにより、一方の表示媒体に表示されている画像のみを容易に消去でき、他方の表示媒体に表示されている画像は、その表示を維持させることができる。
【００１７】
また、情報表示パネルと該情報表示パネルに画像データを出力する情報書込み装置とを別体とする構成により、情報表示パネルを小型、軽量化することができ、携帯性を高めることができる。
【発明を実施するための最良の形態】
【００１８】
以下図面に基づいて、本発明に係る情報表示パネル、情報書込み装置、情報消去装置、および情報表示システムの実施の形態を説明する。尚、本発明を図示の実施の形態に基づいて説明するが、本発明は該実施の形態に限られない。
【００１９】
最初に、情報表示システムの構成を図１を用いて説明する。図１は、本発明の実施形態に係る情報表示システム１Ａの概略構成を示すブロック図である。
【００２０】
情報表示システム１Ａは、図１に示すように、情報表示パネル１、情報書込み装置３、および情報消去装置５などを有する。
【００２１】
情報書込み装置３は、図示しない通信ネットワークを介して新聞、書籍などの電子化された情報や社内データベース内の社内文書などの電子化された情報を受信し、受信した情報に基づいた画像データを生成し、情報表示パネル１に出力する。
【００２２】
情報表示パネル１は、情報書込み装置３からの画像データに基づき画像を表示する。
【００２３】
情報消去装置５は、情報表示パネル１に表示された画像を消去する。
【００２４】
このような構成の情報表示システム１Ａにおいて、情報表示パネル１は、通常、単体で使用され、情報の書込み時、画像の消去時のみ情報書込み装置３、情報消去装置５と接続される。
【００２５】
次に、情報表示パネル１の要部構成を図２を用いて説明する。図２は、情報表示パネル１の概略構成を示すブロック図である。
【００２６】
情報表示パネル１は、電圧駆動型表示素子１１１、電流駆動型表示素子１２１、駆動マトリクス配線１１３、１２３、およびコネクタＣＮ１１１、ＣＮ１２１などを有する。情報表示パネル１の画面は、電圧駆動型表示素子１１１により表示される領域と、電流駆動型表示素子１２１により表示される領域の２つの表示領域から構成される。
【００２７】
電圧駆動型表示素子１１１、電流駆動型表示素子１２１は、いずれも表示内容を無電源で保持する機能（メモリ性）を有した所謂電子ペーパーと称される表示媒体である。電子ペーパーは、情報を電気的に書換えることができ、情報の書換え時のみ電力を消費する一方、書換えが終了した後には電力を消費することなく情報を表示させておくことが可能であり、消費電力を抑制することができる。
【００２８】
電圧駆動型表示素子１１１には、例えば、室温でコレステリック液晶相を示すカイラルネマティック液晶などを用いたコレステリック液晶表示素子やツイストボールを用いた表示素子（双極性の電子分流体）などを用いることができる。また、電流駆動型表示素子１２１には、銀の析出と溶解により表示を行う表示素子などを用いることができる。また、電流駆動型表示素子１２１としては、光学的に書込みを行うリライタブルペーパーなどを用いてもよい。
【００２９】
駆動マトリクス配線１１３、１２３は、それぞれ電圧駆動型表示素子１１１、電流駆動型表示素子１２１の内部にマトリクス状に配置された図示しない画素電極に接続され、情報書込み装置３からコネクタＣＮ１１１、ＣＮ１２１を介して入力された画素選択信号や画像信号などを印加する。
【００３０】
コネクタＣＮ１１１、ＣＮ１２１は、情報（画像データ、画像信号）の書込み時、情報書込み装置３に設けられたコネクタＣＮ３１１、ＣＮ３２１に接続される。
【００３１】
尚、本実施形態においては、電圧駆動型表示素子１１１と、電流駆動型表示素子１２１を並行して配置する構成としたが、電流駆動型表示素子１２１の一部の領域の上面に電圧駆動型表示素子１１１を重ねて配置する構成としてもよい。この場合は、２つの表示素子の間に絶縁材を設ける構成とする。
【００３２】
このような構成の情報表示パネル１において、本実施形態においては、電圧駆動型表示素子１１１には、個人情報や社外秘などの秘匿性が高く、閲覧後は情報の流出を防止するため後述の情報消去装置５で即座にすることができる情報を表示させる。一方、電流駆動型表示素子１２１には、情報消去装置５では消去することができず、表示を維持させておきたい情報を表示させる。
【００３３】
次に、情報書込み装置３の要部構成を図３を用いて説明する。図３は、情報書込み装置３の概略構成を示すブロック図である。
【００３４】
情報書込み装置３は、制御部３０１、情報入力部３０３、外部ＩＦ３０５、メモリ３１１、３２１、電圧駆動型書込み制御回路３１２、電流駆動型書込み制御回路３２２、およびコネクタＣＮ３１１、ＣＮ３２１などを有する。
【００３５】
情報入力部３０３は、外部に設けられた図示しないキーボード、マウス、タッチパネルなどと接続され、種々の情報を入力する。
【００３６】
外部ＩＦ３０５は、例えば、無線ＬＡＮの無線通信デバイスで構成され、図示しない通信ネットワークを介して新聞、書籍などの電子化された情報やデータベース内の社内文書などの電子化された情報を受信する。尚、無線通信手段としては、他にＢｌｕｅｔｏｏｔｈやワイヤレスＵＳＢ、また、低消費電力型のデバイスを用いてもよい。
【００３７】
制御部３０１は、図示しない操作スイッチからの信号を受けて、図示しないＲＯＭに格納されている各種制御プログラムを実行し、表示制御動作や画像信号処理、および外部との情報の送受信動作を統括的に制御する。
【００３８】
また、制御部３０１は、情報入力部３０３や外部ＩＦ３０５を介して入力した情報に基づいた画像データを生成し、メモリ３１１、３２１に格納する。このとき、個人情報や社外秘などの秘匿性が高い情報に基づく画像データは、メモリ３１１に格納する。一方、秘匿性が高くないその他の情報に基づく画像データは、メモリ３２１に格納する。
【００３９】
電圧駆動型書込み制御回路３１２は、情報表示パネル１の電圧駆動型表示素子１１１の内部にマトリクス状に配された画素にコネクタＣＮ３１１を介して画素選択信号やメモリ３１１に格納されている画像信号（画像データ）などを印加し、印加した画像信号に基づく画像を表示させる。
【００４０】
電流駆動型書込み制御回路３２２は、情報表示パネル１の電流駆動型表示素子１２１の内部にマトリクス状に配された画素にコネクタＣＮ３２１を介して画素選択信号やメモリ３２１に格納されている画像信号（画像データ）などを印加し、印加した画像信号に基づく画像を表示させる。
【００４１】
次に、情報消去装置５の要部構成を図４を用いて説明する。図４は、情報消去装置５の概略構成を示す断面模式図である。
【００４２】
情報消去装置５は、筐体５０１、バッテリ５０３、スイッチ５０５、および電極５０７、５０８などを有する。
【００４３】
筐体５０１の側面には、スロット５０１ａが設けられ、スロット５０１ａの上下には電極５０７、５０８が配されている。
【００４４】
バッテリ５０３は、電極５０７、５０８にスイッチ５０５を介して所定の電圧を印加する。
【００４５】
このような構成の情報消去装置５において、情報表示パネル１をスロット５０１ａに装填し、スイッチ５０５を操作することにより、電極５０７、５０８にバッテリ５０３からの電圧が印加され、情報表示パネル１の電圧駆動型表示素子１１１に表示されている画像のみが消去される。尚、スイッチ５０５は、スロット５０１ａの後部５０１ｂに配し、情報表示パネル１全体がスロット５０１ａに装填されたときにＯＮする構成としてもよい。
【００４６】
ここで、電圧駆動型表示素子１１１に表示されている画像のみが消去される様子を図５を用いて説明する。図５は、情報消去装置５に情報表示パネル１が装填されたときの電極５０７、５０８周縁の状態を示す断面模式図である。
【００４７】
まず、情報表示パネル１の上下の面は、情報消去装置５の電極５０７、５０８に電圧が印加されたときに、電流がリークしないように絶縁皮膜１３０で覆われている。
【００４８】
また、電圧駆動型表示素子１１１、電流駆動型表示素子１２１の内部には、それぞれ画素電極１１１ａ、１２１ａが配されている。
【００４９】
このような態様で、バッテリ５０３より電極５０７、５０８に電圧が印加されると、電圧駆動型表示素子１１１の粒子１１１ｂは、片面に移動する。これにより表示されている画像は消去される。一方、電流駆動型表示素子１２１の粒子１２１ｂは、情報表示パネル１が絶縁皮膜１３０で覆われていることにより、移動することなくそのままの状態を維持している。これにより表示されている画像は消去されることなくその表示が維持される。
【００５０】
このように、本発明の実施形態に係る情報表示パネル１においては、表示内容を無電源で保持可能な電気特性の異なる２つの表示媒体、すなわち、電圧駆動型表示素子１１１、電流駆動型表示素子１２１をそれぞれ配した２つの表示領域を設ける構成とした。これにより、２つの表示媒体の電気特性の違いを利用することにより、電圧駆動型表示素子１１１に表示されている画像のみを容易に消去でき、電流駆動型表示素子１２１に表示されている画像は、その表示を維持させることができる。
【００５１】
また、情報表示パネル１と該情報表示パネル１に画像データを出力する情報書込み装置３とを別体とする構成により、情報表示パネル１を小型、軽量化することができ、携帯性を高めることができる。
【００５２】
また、情報消去装置５は、バッテリ５０３、スイッチ５０５、および電極５０７、５０８といった簡単な構成でありながら、情報表示パネル１をスロット５０１ａに装填するだけで、電圧駆動型表示素子１１１に表示されている画像のみを少ない消費電力で瞬時に消去することができる。
【図面の簡単な説明】
【００５３】
【図１】本発明の実施形態に係る情報表示システムの概略構成を示すブロック図である。
【図２】情報表示パネルの概略構成を示すブロック図である。
【図３】情報書込み装置の概略構成を示すブロック図である。
【図４】情報消去装置の概略構成を示す断面模式図である。
【図５】情報消去装置に情報表示パネルが装填された状態を示す断面模式図である。
【符号の説明】
【００５４】
１Ａ  情報表示システム
１  情報表示パネル
１１１  電圧駆動型表示素子
１１１ａ、１２１ａ  画素電極
１１１ｂ、１２１ｂ  粒子
１１３、１２３  駆動マトリクス配線
１２１  電流駆動型表示素子
１３０  絶縁膜
３  情報書込み装置
３０１  制御部
３０３  情報入力部
３０５  外部ＩＦ
３１１、３２１  メモリ
３１２  電圧駆動型書込み制御回路
３２２  電流駆動型書込み制御回路
５  情報消去装置
５０１  筐体
５０３  バッテリ
５０５  スイッチ
５０７、５０８  電極
ＣＮ１１１、ＣＮ１２１、ＣＮ３１１、ＣＮ３２１  コネクタ
【図１】
2009288411.tif 000003
【図２】
2009288411.tif 000004
【図３】
2009288411.tif 000005
【図４】
2009288411.tif 000006
【図５】
2009288411.tif 000007